(57)【特許請求の範囲】
【請求項１】
上下に縦長に延びる柱状に形成されるとともに、上部が横幅よりも前後の長さのほうが長い略直方体形状をなす本体筐体と、
前記本体筐体の下方に配置され、前記本体筐体を回転可能に支持する台座部と、
前記本体筐体の側面に開口する吸込口と、
前記本体筐体の前面に縦長に開口する吹出口と、
ファンモータおよび羽根車を有し、前記吸込口から吸い込んだ空気を前記吹出口に向かって流通させる送風ファンと、を備え、
前記本体筐体は、底面側の横幅が上面側の横幅よりも広くなり、かつ、底面が円形になるように、前記底面に向けて横幅が徐々に広がるように形成され、
前記台座部は、上面が前記本体筐体の底面と略同径の円形をなし、
前記ファンモータは、前記本体筐体内の底面に向けて横幅が広がる領域であって、前記吹出口よりも下方に配置されていることを特徴とする送風装置。
【請求項２】
前記本体筐体は、左右両側面が外側に膨らむように湾曲していることを特徴とする請求項１に記載の送風装置。
【請求項３】
前記本体筐体は、底面から上端にかけて前後の長さが略同じであることを特徴とする請求項１または２に記載の送風装置。
【発明の詳細な説明】
【技術分野】
【０００１】
本発明は、柱状に形成された本体筐体の前面に吹出口を備える送風装置に関する。
【背景技術】
【０００２】
従来のリモコン保持構造は特許文献１、２に開示されている。特許文献１に記載のリモコン保持構造は室内壁面に固着させたリモコンホルダーがリモコンの下部を収納可能な凹部を備え、この凹部にリモコンが着脱可能に収納できるようになっている。これにより、リモコンの紛失を防止することができる。
【０００３】
特許文献２に記載のリモコン保持構造はリモコンの背面に２か所の凹状係止部を設け、壁面に固定したリモコンホルダーの前面に２か所の凸状係止受け部を設けてこれら係止部及び係止受け部を係合している。これにより、リモコンの紛失を防止することができるとともに、リモコンが下側または斜め上側に向かって押されても落下しないようにすることができる。
【先行技術文献】
【特許文献】
【０００４】
【特許文献１】特開平７−１５８９４５号公報
【特許文献２】特開２００８−１３３５８６号公報
【発明の概要】
【発明が解決しようとする課題】
【０００５】
上記従来のリモコン保持構造はリモコンホルダーというリモコンとは別個のリモコン保持用の部材が必要になる。そして、電気機器自体にリモコンを保持させる場合、リモコンを収容可能な凹部として形成されたリモコン保持用の部材とリモコンの収容スペースが電気機器に必要になる。これにより、電気機器の部品点数が増加するとともに、電気機器が大型化するという問題があった。
【０００６】
本発明は上記の点に鑑みなされたものであり、送風装置内部の空間の有効活用が図られた送風装置を提供することを目的とする。
【課題を解決するための手段】
【０００７】
本発明に係る送風装置は、上下に縦長に延びる柱状に形成されるとともに、上部が横幅よりも前後の長さのほうが長い略直方体形状をなす本体筐体と、本体筐体の下方に配置され、本体筐体を回転可能に支持する台座部と、本体筐体の側面に開口する吸込口と、本体筐体の前面に縦長に開口する吹出口と、ファンモータおよび羽根車を有し、吸込口から吸い込んだ空気を吹出口に向かって流通させる送風ファンと、を備え、本体筐体は、底面側の横幅が上面側の横幅よりも広くなり、かつ、底面が円形になるように、底面に向けて横幅が徐々に広がるように形成され、台座部は、上面が本体筐体の底面と略同径の円形をなし、ファンモータは、本体筐体内の底面に向けて横幅が広がる領域であって、吹出口よりも下方に配置されている。
【０００８】
また、上記構成の送風装置において、本体筐体は、左右両側面が外側に膨らむように湾曲している。
【０００９】
また、上記構成の送風装置において、本体筐体は、底面から上端にかけて前後の長さが略同じである。
【発明の効果】
【００１１】
本発明の構成によれば、柱状に形成された本体筐体の前面に吹出口を備える送風装置の内部の空間が有効活用される。
【図面の簡単な説明】
【００１２】
【図１】本発明の第１実施形態のイオン送出装置の前方から見た外観斜視図である。
【図２】本発明の第１実施形態のイオン送出装置の後方から見た外観斜視図である。
【図３】本発明の第１実施形態のイオン送出装置の外装カバーを外した側面図である。
【図４】本発明の第１実施形態のイオン送出装置のイオン発生装置の外観斜視図である。
【図５】本発明の第１実施形態のイオン送出装置の外装カバーを外した部分拡大側面図である。
【図６】本発明の第２実施形態のイオン送出装置の外装カバーを外した部分拡大側面図である。
【発明を実施するための形態】
【００１３】
以下、本発明の実施形態を図１〜図６に基づき説明する。なおここでは、リモコン保持構造を備える電気機器の一例としてイオン送出装置を掲げて説明するものとする。
【００１４】
最初に、本発明の第１実施形態に係るリモコン保持構造を備えたイオン送出装置について、図１〜図３を用いてその構造の概略を説明する。図１及び図２はイオン送出装置の前方から見た外観斜視図及び後方から見た外観斜視図である。図３はイオン送出装置の外装カバーを外した状態の側面図である。図１〜図３の白抜き矢印はイオン送出装置による空気の流通経路及び流通方向を示している。
【００１５】
イオン送出装置１は、図１及び図２に示すように柱状をなす本体筐体２と、本体筐体２の下方に配置された台座部３とを備えている。
【００１６】
本体筐体２は上下に縦長に延びる柱状に形成されている。本体筐体２は底面が円形をなし、上下方向略中央部から上端にかけての部分が略直方体形状で形成されている。上部の略直方体形状の部分は横幅より前後の長さのほうが長く、左右両側面が外側に膨らむように湾曲している。
【００１７】
本体筐体２は下部側面に開口する吸込口４と、上部正面に開口する吹出口５とを備えている。本体筐体２は上面に操作部６を備えている。本体筐体２は台座部３の上面に立設されている。
【００１８】
台座部３は平面視円形をなすその上面に本体筐体２が設置されて、本体筐体２を支持している。本体筐体２はその下部に設けた不図示の変位モータを駆動すると、台座部３に対して、径方向中心に設けた上下方向に延びる回転軸線を中心に水平面内で回転する、または所定の角度範囲で往復変位（首振り動作）する。
【００１９】
本体筐体２は、図３に示すようにその内部に送風ダクト２０を備えている。送風ダクト２０は上下方向に延び、吸込口４と吹出口５とを連通させている。送風ダクト２０の内部であって本体筐体２の下部には送風ファン７が配置されている。送風ファン７の不図示の吸気口は吸込口４に隣接している。送風ファン７の排気口７ａは上方を指向している。送風ファン７は吸込口４から吸い込んだ空気を吹出口５に向かって流通させる。
【００２０】
送風ファン７の上方であって空気流通方向下流側にはイオン発生装置３０が配置されている。イオン発生装置３０により発生するイオンは送風ダクト２０を流通する気流に含ませられる。また、本体筐体２の内部には不図示の制御基板が設けられている。また、イオン送出装置１は電源コード８とその先端に設けた不図示の電源プラグとを備え、商用交流電源から電力の供給を受け、動作する。
【００２１】
続いて、イオン送出装置１の詳細な構成について、図１〜図３に加えて図４及び図５を用いて説明する。図４はイオン発生装置３０の外観斜視図、図５はイオン送出装置の外装カバーを外した部分拡大側面図である。
【００２２】
吸込口４は送風ダクト２０の内部と本体筐体２の外部とを連通させている。吸込口４には塵埃を捕集する不図示の集塵フィルタと、複数の通気孔を開口した通気板９とが配置されている。
【００２３】
送風ファン７は送風ダクト２０の下部であって吸込口４に隣接して配置されている。送風ファン７は例えばシロッコファンからなり、不図示のファンモータ及び羽根車が設けられている。羽根車は不図示の吸気口が吸込口４に面している。送風ファン７の排気口７ａは上方、すなわち送風ダクト２０の下流に位置する吹出口５の方向を指向している。ファンモータによって羽根車が回転すると、送風ダクト２０に気流が流通する。なお、本実施形態では送風ファン７をシロッコファンとしたが、プロペラファンやターボファン形式の送風ファンであっても良い。
【００２４】
イオン発生装置３０は送風ファン７に対して空気流通方向下流側に配置されている。イオン発生装置３０はイオンを放出するための放電に用いる放電電極３３やその他電子部品がハウジング３１に設けられ、例えば図４に示すようにパッケージ化されている。
【００２５】
イオン発生装置３０は不図示の回路部、正イオン発生部３２Ｐ及び負イオン発生部３２Ｎを備えている。回路部は外部から電力供給を受けて高圧の電気パルスを生成する高圧電気発生回路を備えている。
【００２６】
正イオン発生部３２Ｐは正放電電極３３Ｐを備え、負イオン発生部３２Ｎは負放電電極３３Ｎを備えている。二対の正放電電極３３Ｐ及び負放電電極３３Ｎは各々針状に形成されて所定の間隔で並べて配置され、送風ダクト２０に臨んでいる。二対の正放電電極３３Ｐ及び負放電電極３３Ｎは送風ダクト２０内の空気流通方向と直角をなす方向に並んでいる。
【００２７】
正イオン発生部３２Ｐ及び負イオン発生部３２Ｎはともに同じ構造であり、各々の正放電電極３３Ｐ、負放電電極３３Ｎに高圧電気発生回路で生成された高電圧を供給して放電を発生させ、イオンを放出する。
【００２８】
ここで、イオン発生装置３０の正放電電極３３Ｐ、負放電電極３３Ｎには交流波形またはインパルス波形から成る電圧が印加される。正放電電極３３Ｐには正電圧が印加され、コロナ放電による水素イオンが空気中の水分と結合して主としてＨ+（Ｈ2Ｏ）ｍから成る正イオンを発生する。負放電電極３３Ｎには負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２９】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置３０は送風ダクト２０の内部を流通する空気に対して正放電電極３３Ｐ及び負放電電極３３Ｎで放電により発生させた正イオン及び負イオンを含ませるように放出することにより、例えば室内の殺菌や脱臭を行うことができる。
【００３０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
なお、本実施形態ではイオン発生装置３０によって正イオン及び負イオンを発生しているが、正イオンのみまたは負イオンのみを発生しても良い。
【００３１】
また、本発明において、イオンには帯電微粒子水も含むものとする。このとき、イオン発生装置３０は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００３２】
イオン発生装置３０は正イオンまたは負イオンのいずれかと、正イオンまたは負イオンの逆極性に帯電した微粒子水とを発生する静電霧化装置からなるものであっても良い。負イオン若しくは負に帯電した微粒子水が発生すると、室内の殺菌や脱臭に加えて、リラックス効果も生まれるとされている。
【００３３】
送風ダクト２０の空気流通方向下流部は上方に向かって延びるとともに前方に向かって湾曲している。そして、送風ダクト２０の下流部は５枚の仕切り板２１により６本の通風路２２に区分されている。
【００３４】
通風路２２の入口部２３はイオン発生装置３０の配置箇所のすぐ下流に位置し、出口部２４は吹出口５のすぐ上流に位置している。６本の通風路２２は入口部２３においてイオン送出装置１の前後方向に一列に並び、出口部２４において上下方向に一列に並ぶ。
【００３５】
通風路２２の出口部２４と吹出口５との間には６枚の可動ルーバー２５が設けられている。６枚の可動ルーバー２５は各々上流端が５枚の仕切り板２１と送風ダクト２０の最も正面側の壁板２６とに連続して取り付けられている。可動ルーバー２５は下流部が不図示のルーバーモータに連結されている。ルーバーモータを駆動すると、６枚の可動ルーバー２５の下流部が揃って上下方向に変位して吹出口５から送出される空気流の送出方向が上下に変化する。
【００３６】
また、イオン送出装置１は、図２及び図５に示すようにイオン送出装置１を遠隔操作するリモコン１００と、リモコン１００を収容して保持するリモコン保持構造４０を備えている。リモコン保持構造４０はイオン送出装置１の上部背面に設けられている。
【００３７】
リモコン保持構造４０は本体筐体２の上部背面に開口する単一の挿入口４１と、挿入口４１からイオン送出装置１内部に向かって延びる保持孔４２とを備えている。挿入口４１はリモコン１００と人の手指Ｈとを同時に挿入可能な大きさをなした矩形の開口で形成されている。保持孔４２はリモコン１００と人の手指Ｈとを同時に収容可能な大きさの有底孔で形成されている。
【００３８】
保持孔４２は収容したリモコン１００を保持するリモコン保持孔４３として形成されたリモコン保持部と、イオン送出装置１の搬送時に人の手指Ｈが掛かる手掛け孔４４として形成された手掛け部とを備えている。リモコン保持孔４３は保持孔４２の下部に設けられ、挿入口４１から斜め下方向に延びている。手掛け孔４４は保持孔４２の上部に設けられ、挿入口４１から斜め上方向に延びている。
【００３９】
リモコン保持孔４３の最も奥に存在する壁部は送風ダクト２０の最も背面側の壁板２７と共通する隔壁として形成されている。
【００４０】
保持孔４２内部の挿入口４１と対向する部分であってリモコン保持孔４３と手掛け孔４４との間の部分には挿入口４１側に向かって突出する突出部４５が設けられている。突出部４５が保持孔４２の内部をリモコン保持孔４３と手掛け孔４４とに区分している。
【００４１】
なお、保持孔４２は、図５に示すように保持孔４２に収容したリモコン１００の一部が挿入口４１から外側に露出する大きさで形成しているが、リモコン１００の全部を挿入口４１より内側に収容する大きさで形成しても良い。
【００４２】
このようにリモコン保持構造４０の構成によれば、保持孔４２がリモコン１００を保持するリモコン保持孔４３として形成されたリモコン保持部と、イオン送出装置１の搬送時に人の手指Ｈが掛かる手掛け孔４４として形成された手掛け部とを備える。したがって、リモコン保持孔４３と手掛け孔４４とを一体として形成することができる。これにより、リモコン保持孔４３と手掛け孔４４とに係る部品点数の低減が可能であり、占有スペースも小さくすることができる。
【００４３】
また、リモコン保持構造４０は保持孔４２内部の挿入口４１と対向する部分であってリモコン保持孔４３と手掛け孔４４との間の部分が挿入口４１側に向かって突出する突出部４５を備えている。これにより、リモコン保持孔４３をリモコン１００の形状、大きさに合った形状、大きさにすることができ、手掛け孔４４を人の手指Ｈの形状、大きさに合った形状、大きさにすることができる。したがって、リモコン保持孔４３とリモコン１００との間、及び手掛け孔４２に収容された人の手指Ｈとリモコン１００との間に好適なクリアランスを生じさせることが可能である。
【００４４】
また、保持孔４２は保持孔４２に収容したリモコン１００の一部が挿入口４１から外側に露出する大きさで形成されているので、リモコン１００の取り出しを容易にすることができる。
【００４５】
さらに、イオン送出装置１は下部に設けた空気の吸込口４、送風ファン７及びイオン発生装置３０と、上部正面に設けたイオンを含む空気の吹出口５と、上部背面に設けたリモコン保持構造４０とを備えている。この構成によれば、イオン送出装置１の上部背面側に生じる未使用空間にリモコン保持構造４０が形成される。したがって、イオン送出装置１の内部の未使用空間を有効活用することができる。
【００４６】
そして、本発明の上記実施形態の構成によれば、リモコン保持構造４０はリモコン保持孔４３と手掛け孔４４とに係る部品点数が低減し、占有スペースも小さくなる。したがって、イオン送出装置１を小型化、低コスト化することが可能なリモコン保持構造４０を提供することができる。また、このリモコン保持構造４０を備えた小型化、低コスト化が図られたイオン送出装置１を提供することが可能である。
【００４７】
次に、本発明の第２実施形態に係るイオン送出装置について、図６を用いて説明する。図６はイオン送出装置の外装カバーを外した部分拡大側面図である。なお、この実施形態の基本的な構成は図１〜図５を用いて説明した前記第１実施形態と同じであるので、第１実施形態と共通する構成要素には前と同じ符号を付し、図面の記載及びその説明を省略するものとする。
【００４８】
第２実施形態に係るイオン送出装置１は、図６に示すようにリモコン１００を収容して保持するリモコン保持構造５０を備えている。リモコン保持構造５０は本体筐体２の上部背面に開口する単一の挿入口５１と、挿入口５１からイオン送出装置１内部に向かって延びる保持孔５２とを備えている。
【００４９】
保持孔５２はリモコン１００の挿入方向に沿って垂直をなす断面形状、すなわちイオン送出装置１の側方から見た断面形状が図６に示す台形形状に形成されている。保持孔５２はその下部に設けたリモコン保持部５３と、その上部に設けた手掛け部５４を備えている。リモコン保持部５３は挿入口５１から斜め下方向に延びる空間として形成されて収容したリモコン１００を保持する。手掛け部５４は挿入口５１から横方向に延びる空間として形成されてイオン送出装置１の搬送時に人の手指Ｈが掛かる。
【００５０】
この構成によれば、簡便な構成でリモコン保持部５３と手掛け部５４とを形成することができる。したがって、イオン送出装置１を小型化、低コスト化することが可能である。
【００５１】
以上、本発明の実施形態につき説明したが、本発明の範囲はこれに限定されるものではなく、発明の主旨を逸脱しない範囲で種々の変更を加えて実施することができる。
【００５２】
例えば、上記実施形態では、リモコン保持構造４０、５０をイオン送出装置１の背面に設けたが、リモコン保持構造４０、５０を設ける箇所は背面に限定されるわけではない。リモコン保持構造４０、５０をイオン送出装置１の正面や左右の側面、或いは上面に設けても良い。
【００５３】
また、上記実施形態では、リモコン保持構造４０、５０を備える電気機器の一例としてイオン送出装置１を掲げたが、リモコン保持構造を備える電気機器はイオン送出装置に限定されるわけではない。リモコンを備えた持ち運びの可能な電気機器であれば他の機器であっても良く、例えばテレビやオーディオ機器、扇風機、ストーブ、加湿機、除湿機などといった電気機器であっても良い。これらの電気機器は上記実施形態に係るリモコン保持構造を備えることにより、リモコン保持部と手掛け部とに係る部品点数の低減が可能であり、占有スペースも小さくすることができる。
【産業上の利用可能性】
【００５４】
本発明は、電気機器を遠隔操作するためのリモコンの保持構造において利用することができる。
【符号の説明】
【００５５】
１    イオン送出装置
２    本体筐体
３    台座部
４    吸込口
５    吹出口
６    操作部
７    送風ファン
２０    送風ダクト
３０    イオン発生装置
４０、５０    リモコン保持構造
４１、５１    挿入口
４２、５２    保持孔
４３    リモコン保持孔（リモコン保持部）
４４    手掛け孔（手掛け部）
４５    突出部
５３    リモコン保持部
５４    手掛け部
【図１】
0005452757.tif 000002
【図２】
0005452757.tif 000003
【図３】
0005452757.tif 000004
【図４】
0005452757.tif 000005
【図５】
0005452757.tif 000006
【図６】
0005452757.tif 000007